(57)【特許請求の範囲】
【請求項１】
バッテリと、該バッテリより高電圧の直流電源と、上記バッテリの両極間に入力端子が接続され、上記直流電源の両極間に出力端子が接続された昇圧チョッパ回路と、上記直流電源の両極間に入力端子が接続され、上記バッテリの両極間に出力端子が接続された降圧チョッパ回路とを備えて、上記バッテリの充放電を行う電力変換装置において、上記昇圧チョッパ回路動作時に帰路電流が上記降圧チョッパ回路内にバイパスするのを防止するように、上記降圧チョッパ回路の帰路電流経路に逆流防止用のダイオードを設けたことを特徴とする電力変換装置。
【請求項２】
上記昇圧チョッパ回路の入力端子および上記降圧チョッパ回路の出力端子は、上記バッテリに接続される正負端子間に接続されることで上記バッテリの両極間に接続され、上記正負端子と上記バッテリとの間での開離時に上記昇圧チョッパ回路のリアクトルに蓄積されたエネルギーによって上記正負端子間に過電圧が印加されないように、上記正負端子間に環流用ダイオードを設けたことを特徴とする請求項１記載の電力変換装置。
【請求項３】
上記直流電源の両極間の短絡時に、上記バッテリからの電荷により上記降圧チョッパ回路のスイッチング素子に逆過電圧が印加されないように、上記降圧チョッパ回路内に上記バッテリからの電荷を循環させる環流用ダイオードを上記スイッチング素子と並列に設けたことを特徴とする請求項１または２記載の電力変換装置。
【発明の詳細な説明】
【０００１】
【発明の属する技術分野】
この発明は、無停電電源装置等に用いられる、バッテリの充放電を行う電力変換装置に関するものである。
【０００２】
【従来の技術】
図８は、例えば「電気学会技術報告  第５９６号  無停電電源システム（ＵＰＳ）の動向  Ｐ．２７」に示された従来の無停電電源装置である。
図において、１は商用電源、２はコンバータ、３はインバータ、４は双方向チョッパ回路、５はバッテリとしての蓄電池、６は負荷、７は直流スイッチ、８は双方向チョッパ回路４、蓄電池５および直流スイッチ７で構成された充放電装置である。
次に動作について説明する。
コンバータ２は、商用電源１から与えられる交流電力を直流電力に変換し、インバータ３に直流電力を供給する。インバータ３は、コンバータ２から与えられる直流電力を交流電力に変換し、負荷６に交流電力を供給する。充放電装置８は、コンバータ２から与えられる直流電力を双方向チョッパ回路４により所定の電圧に降圧し、直流スイッチ７を通して蓄電池５に供給し充電する。
次に商用電源１が停電すると、充放電装置８は、直流スイッチ７を通して蓄電池５から与えられる直流電力を双方向チョッパ回路４により所定の電圧に昇圧し、インバータ３に供給する。インバータ３には、常に直流電力が与えられ負荷６に無停電で電力を供給し続ける。
【０００３】
図９は充放電装置８の詳細を示すもので、蓄電池５とそれより高い電源電圧の直流電源（負荷電源）９との間で、双方向チョッパ４により降圧、昇圧双方の動作を伴って蓄電池５の充放電を行う。
直流電源９は、ここではコンバータ２から与えられ、インバータ３を介して負荷電源となるものである。
図９において、１０ａ、１０ｂは過電流保護用のヒューズ、１１、１２はトランジスタ等によって構成する直流スイッチング素子、１３、１４はダイオード、１５、１６はコンデンサ、１７はリアクトルである。
双方向チョッパ回路４は、トランジスタ１１、ダイオード１４、リアクトル１７で構成される降圧チョッパと、トランジスタ１２、ダイオード１３、リアクトル１７で構成される昇圧チョッパとからなり、降圧、昇圧双方の動作が行える。
【０００４】
次に充放電装置８の動作を示す。
まず、双方向チョッパ回路４の降圧チョッパによる蓄電池５の充電について説明する。
トランジスタ１１がオンの間（オン時間＝ＴAon）、直流電源９によりリアクトル１７に電流を流し、リアクトル１７にエネルギーを蓄積すると共に、蓄電池５に供給し充電する。トランジスタ１１がオフの間（オフ時間＝ＴAoff）、リアクトル１７に蓄積したエネルギーを、ダイオード１４を通して蓄電池５に供給し、蓄電池５を連続して充電する。このように、トランジスタ１１のオン、オフを繰り返すことにより、直流電源９の出力電圧VDを電圧VBへ、変圧比α＝ＴAon／（ＴAon＋ＴAoff）＝VB／VD、（α＜1）にて降圧し、蓄電池５へエネルギーを供給し充電をおこなうことができる。
ここでコンデンサ１６は、蓄電池５への充電電流の脈流を緩和するものである。
【０００５】
次に、双方向チョッパ回路４の昇圧チョッパによる蓄電池５の放電について説明する。
トランジスタ１２がオンの間（オン時間＝ＴBon）、蓄電池５の放電にて与えられる直流電力により、リアクトル１７にエネルギーを蓄積する。トランジスタ１２がオフの間（オフ時間＝ＴBoff）、蓄電池５の放電にて与えられる直流電力と、リアクトル１７に蓄積したエネルギーとを加えて、ダイオード１３を通して直流電源９に供給する。このように、トランジスタ１２のオン、オフを繰り返すことにより、蓄電池５の電圧VBを電圧VDへ、変圧比β＝（ＴBon＋ＴBoff）／ＴBoff＝VD／VB（β＞1）にて昇圧し、蓄電池５からの放電電圧よりも高い出力電圧を得る。
ここでコンデンサ１５は、電圧VDの脈流を緩和するものである。
【０００６】
【発明が解決しようとする課題】
無停電電源装置などに用いられて蓄電池の充放電を行う充放電装置は、以上のように構成されている。
通常蓄電池５の充電動作すなわち双方向チョッパ４に降圧動作をさせる場合は、放電動作すなわち昇圧動作をさせる場合に比べ、約１／１０の電流しか通電せず、トランジスタ１１とダイオード１４は、トランジスタ１２とダイオード１３の約１／１０の電流容量しか必要としない。しかし、双方向チョッパ４は通常１パッケージで構成され、トランジスタ１１およびダイオード１４とトランジスタ１２およびダイオード１３とは、同一パッケージ内に納められる。このため、双方とも、昇圧動作時の電流を考慮する必要があり、配線材料、構造部品も同様に昇圧動作の電流を考慮した構成にしなくてはならず、不経済であると共にコンパクト化できないという問題点があった。
【０００７】
この発明は、上記のような課題を解決するためになされたものであり、蓄電池の充電動作すなわち降圧動作に寄与する部分と、放電動作すなわち昇圧動作に寄与する部分とを、それぞれの電流容量に適合した電気部品、配線材料、構造部品で構成して不経済性を無くすと共に、装置のコンパクト化を図ることを目的とする。
【０００８】
【課題を解決するための手段】
この発明の請求項１に係る電力変換装置は、バッテリと、該バッテリより高電圧の直流電源と、上記バッテリの両極間に入力端子が接続され、上記直流電源の両極間に出力端子が接続された昇圧チョッパ回路と、上記直流電源の両極間に入力端子が接続され、上記バッテリの両極間に出力端子が接続された降圧チョッパ回路とを備えて、上記バッテリの充放電を行うものであって、上記昇圧チョッパ回路動作時に帰路電流が上記降圧チョッパ回路内にバイパスするのを防止するように、上記降圧チョッパ回路の帰路電流経路に逆流防止用のダイオードを設けたものである。
【０００９】
この発明の請求項２に係る電力変換装置は、上記昇圧チョッパ回路の入力端子および上記降圧チョッパ回路の出力端子は、上記バッテリに接続される正負端子間に接続されることで上記バッテリの両極間に接続され、上記正負端子と上記バッテリとの間での開離時に上記昇圧チョッパ回路のリアクトルに蓄積されたエネルギーによって上記正負端子間に過電圧が印加されないように、上記正負端子間に環流用ダイオードを設けたものである。
【００１０】
この発明の請求項３に係る電力変換装置は、上記直流電源の両極間の短絡時に、上記バッテリからの電荷により上記降圧チョッパ回路のスイッチング素子に逆過電圧が印加されないように、上記降圧チョッパ回路内に上記バッテリからの電荷を循環させる環流用ダイオードを上記スイッチング素子と並列に設けたものである。
【００１１】
【発明の実施の形態】
実施の形態１．
以下、この発明の実施の形態１を図を用いて説明する。
図１は、この発明の実施の形態１による電力変換装置を用いた無停電電源装置を示すものであり、この電力変換装置の詳細回路図を図２に示す。
図において、１〜３、５〜７、９および１０ａ、１０ｂは従来と同じもの、２０は昇圧チョッパ１８および降圧チョッパ１９を備えて蓄電池５を充放電する電力変換装置、２１は直流電源９の両極間に設けられたコンデンサである。
また、図において昇圧チョッパ１８に関する機能については８０番台の符号を付し、降圧チョッパ１９に関する機能については９０番台の符号を付している。８１、９１はトランジスタによって構成する直流スイッチング素子、８２、９２、９５はダイオード、８３、９３はリアクトル、９４ａ、９４ｂはコンデンサ、８４、９６は昇圧および降圧チョッパ１８、１９におけるそれぞれの帰路電流経路である。
【００１２】
図２に示すように、昇圧チョッパ１８は入力端子が蓄電池５の両極間に接続され、出力端子が直流電源９の両極間に接続されて蓄電池５の放電を行い、降圧チョッパ１９は入力端子が端子間にコンデンサ９４ａを配して直流電源９の両極間に接続され、出力端子が端子間にコンデンサ９４ｂを配して蓄電池５の両極間に接続されて蓄電池５の充電を行う。また、降圧チョッパ１９の帰路電流経路９６には、ダイオード９５を配し、逆流を防止する。
【００１３】
次に、この電力変換装置２０の動作を説明する。
まず降圧チョッパ１９の動作について説明する。トランジスタ９１がオンの間（オン時間＝ＴAon）、直流電源９から与えられる直流電力により、リアクトル９３にエネルギーを蓄積すると共に、蓄電池５を充電する。トランジスタ９１がオフの間（オフ時間＝ＴAoff）、リアクトル９３に蓄積したエネルギーを、ダイオード９２を通して蓄電池５に供給し連続して充電する。このように、トランジスタ９１のオン、オフを繰り返すことにより、直流電源９の出力電圧VDを電圧VBへ、変圧比α＝ＴAon／（ＴAon＋ＴAoff）＝VB／VD、（α＜1）にて降圧し、蓄電池５へエネルギーを供給し充電をおこなうことができる。ここでコンデンサ９４ｂは、蓄電池５への充電電流の脈流を緩和するもので、コンデンサ９４ａは、降圧チョッパ１９に与えられる入力電圧VDの脈流を緩和するものである。
【００１４】
次に、昇圧チョッパ１８の動作について説明する。
トランジスタ８１がオンの間（オン時間＝ＴBon）、蓄電池５の放電にて与えられる直流電力により、リアクトル８３にエネルギーを蓄積する。トランジスタ８１がオフの間（オフ時間＝ＴBoff）、蓄電池５の放電にて与えられる直流電力に加え、リアクトル８３に蓄積したエネルギーを、ダイオード８２を通して直流電源９に供給する。このように、トランジスタ８１のオン、オフを繰り返すことにより、蓄電池５の電圧VBを電圧VDへ、変圧比β＝（ＴBon＋ＴBoff）／ＴBoff＝VD／VB（β＞1）にて昇圧し、蓄電池５からの放電電圧よりも高い出力電圧を得る。
ここでコンデンサ２１は、出力電圧VDの脈流を緩和するものである。
【００１５】
上記のような昇圧チョッパ１８の動作時において、蓄電池５から直流電源９へ供給する直流電力の帰路電流は、昇圧チョッパ１８の負極側出力端子から負極側入力端子に至る帰路電流経路８４を通る。この帰路電流は、降圧チョッパ１９の負極側出力端子から負極側入力端子に至る降圧チョッパ１９用の帰路電流経路９６を逆流してバイパスしようとするが、この降圧チョッパ１９の帰路電流経路９６には逆流防止用ダイオード９５が備えられているため、降圧チョッパ１９内に上記昇圧チョッパ１８動作時の帰路電流が流れ込むことはない。
【００１６】
通常、蓄電池５の充電動作すなわち降圧チョッパ１９を動作させる場合は、放電動作すなわち昇圧チョッパ１８を動作をさせる場合に比べ、約１／１０の電流しか通電しない。上記のように降圧チョッパ１９の帰路電流経路９６にダイオード９５を備えて、昇圧チョッパ１８動作時の帰路電流が降圧チョッパ１９内を通ることを防止したため、降圧チョッパ１９内には昇圧時の大きな電流が流れることはなく、降圧チョッパ１９の回路は、昇圧チョッパ１８の回路の約１／１０の電流容量で構成可能となる。
このように、降圧チョッパ１９は、蓄電池５の放電動作時の大きな電流を考慮することなく、蓄電池５の充電動作時の小さな電流のみを考慮した電気部品、配線材料、構造部品で構成でき経済的であると共に、コンパクト化できる。降圧チョッパ１９部分をコンパクト化できるため、従来のように、１つのパッケージで構成されたものであっても、それぞれの部品が大きく、全体として大きな双方向チョッパ回路４を用いたものに比べ、電力変換装置２０全体のサイズもコンパクト化できる。また、降圧チョッパ１９は小型の部品のみで構成されるため、パッケージに収納することなく実装基板に実装でき、さらにコンパクト化が図れる。
【００１７】
実施の形態２．
上記実施の形態１による電力変換装置２０は、昇圧チョッパ１８の入力端子および降圧チョッパ１９の出力端子が、蓄電池５の両極間に直列スイッチ７を介して接続されている。蓄電池５の放電動作時すなわち昇圧チョッパ１８の動作時、直流スイッチ７がその操作コイルの異常等により突然開くと、トランジスタ８１のオン、オフ動作によりリアクトル８３に蓄積したエネルギーが、ダイオード８２、コンデンサ２１、ヒューズ１０ｂ、ヒューズ１０ａを通して降圧チョッパ１９の出力端子間に過電圧として印加される。
図３は、この発明の実施の形態２による電力変換装置であり、この実施の形態２では、図に示すように、上記実施の形態１で示した電力変換装置２０において、降圧チョッパ１９の出力端子間に環流用のダイオード９７を設ける。
【００１８】
これにより、上述したように昇圧チョッパ１８の動作時に直流スイッチ７が異常により突然開いても、リアクトル８３に蓄積したエネルギーをダイオード８２、コンデンサ２１、ヒューズ１０ｂ、ダイオード９７、ヒューズ１０ａを通して循環させることにより、降圧チョッパ１９の出力端子間に過電圧が印加されることを防ぎ、降圧チョッパ１９に内蔵する部品の破損を防止することができる。
ここで、ダイオード９７は、リアクトル８３に蓄積したエネルギーを瞬間的に通電できればよく、連続の通電容量を考慮する必要がないので極小容量の定格でよい。
このため、蓄電池５の充電動作時の小さな電流のみを考慮した経済的でコンパクトな構成である降圧チョッパ１９の信頼性をさらに向上できる。
【００１９】
なお、この実施の形態では、直流スイッチ７が異常により突然開くとしたが、蓄電池５と接続される正負端子２２として、昇圧チョッパ１８の入力端子および降圧チョッパ１９の出力端子が該正負端子２２の両極間に接続されている配線上の位置を考えると、蓄電池５と上記正負端子２２との間で、直流スイッチ７に限らず、何らかの要因で開離した場合に、上記と同様の効果を有する。
また、ダイオード９７を降圧チョッパ１９の出力端子間に配置するとしたが、上記正負端子間２２に配置しても良く、この正負端子間２２に過電圧が印加されるのを防ぎ、即ち、降圧チョッパ１９の出力端子間にも過電圧は印加されず、同様の効果を有する。
【００２０】
実施の形態３．
図４はこの発明の実施の形態３による電力変換装置を示すもので、降圧チョッパ１９内に、コンデンサ９４ｂに蓄積された電荷を循環させる環流用ダイオード９８をトランジスタ９１と並列に接続して配置する。
通常、降圧チョッパ１９内のトランジスタ９１の両端には、直流電源９の電圧VDと蓄電池５の電圧VBとの差電圧がリアクトル９３を介して順方向に印加されている。ここで直流電源９の両極間に配したコンデンサ２１に短絡故障が発生した場合、蓄電池５側のコンデンサ９４ｂに蓄積された電荷をダイオード９８、短絡故障を発生したコンデンサ２１を通して循環させる。
上記ダイオード９８が設けられていないと、コンデンサ９４ｂに蓄積された電荷は、リアクトル９３、短絡故障を発生したコンデンサ２１を通してトランジスタ９１の両端に逆過電圧として印加されてしまうため、該ダイオード９８の配設により、トランジスタ９１へ逆過電圧が印加することを防ぎ、破損を防止することができる。このため、経済的でコンパクトな構成である降圧チョッパ１９の信頼性をさらに向上できる。
なお、降圧チョッパ１９の入力端子間に配されたコンデンサ９４ａに短絡故障が発生しても同様である。
【００２１】
実施の形態４．
図５はこの発明の実施の形態４による電力変換装置を示すもので、直流電源９に接続する降圧チョッパ１９の入力端子を正極側の１端子のみにし、負極側の電位の入力は、出力の配線と共通にして行う。即ち、蓄電池５に接続された出力端子の負極側端子により直流電源９の負極側電位も入力する。
降圧チョッパ１９は、入出力にコンデンサ９４ａ、９４ｂを有し、トランジスタ９１がオン、オフの動作をする時のリップル電流を、このコンデンサ９４a、９４ｂから供給する。降圧チョッパ１９の入出力の配線にはトランジスタ９１のオン、オフの動作によるリップル電流は流れず、蓄電池５を充電するための直流電流しか流れない。そのため、降圧チョッパ１９の入出力の配線では、トランジスタ９１のオン、オフの動作時のリップル電流によるノイズを考慮する必要もなく、降圧チョッパ１９の負極側電位の入力と出力の配線を共通にしても何ら問題はない。
【００２２】
ところで、昇圧チョッパ１８の動作時において、蓄電池５から直流電源９へ供給する直流電力の帰路電流は、昇圧チョッパ１８の負極側出力端子から負極側入力端子に至る帰路電流経路８４を通る。通常、この帰路電流は、上記実施の形態１で述べたように、降圧チョッパ１９の負極側入力端子から負極側出力端子にバイパスしようとするが、この実施の形態では、降圧チョッパ１９の入力端子を正極側の１端子のみにし、負極側の電位の入力を出力の配線と共通にして行っているため、降圧チョッパ１９内に上記帰路電流のバイパス経路はなくなり、昇圧時の大きな電流が降圧チョッパ１９内を流れることはない。
このため、上記実施の形態１と同様に、降圧チョッパ１９は、蓄電池５の放電動作時の大きな電流を考慮することなく経済的でコンパクトに構成でき、電力変換装置２０全体のサイズもコンパクト化できる。さらに、降圧チョッパ１９は実装基板に実装することによりコンパクト化が一層図れる。
【００２３】
なお、この実施の形態では、降圧チョッパ１９内に昇圧チョッパ１８動作時の帰路電流のバイパス経路がないため、上記実施の形態１で示した逆流防止用のダイオード９５を降圧チョッパ１９内に設ける必要はない。
【００２４】
また、この実施の形態では降圧チョッパ１９の入力端子を正極側の１端子のみにしたが、蓄電池５に接続する出力端子の方を正極側の１端子のみにして、入力端子は正負２端子で直流電源９の両極間に接続させても同様の効果を有する。
【００２５】
さらにまた図５に示すように、上記実施の形態２および３を適用できる。即ち、降圧チョッパ１９の出力端子間にダイオード９７を配置すると、昇圧チョッパ１８の動作時に直流スイッチ７が異常により突然開いても、降圧チョッパ１９の出力端子間に過電圧が印加されることが防止でき、上記実施の形態２と同様の効果が得られる。また、コンデンサ９４ｂに蓄積された電荷を循環させる環流用ダイオード９８をトランジスタ９１と並列に接続して配置すると、コンデンサ２１（９４ａ）が短絡故障してもトランジスタ９１へ逆過電圧が印加することを防止でき、上記実施の形態３と同様の効果が得られる。
【００２６】
実施の形態５．
図６はこの発明の実施の形態５による電力変換装置を示すもので、降圧チョッパ１９の出力端子間に配設されたコンデンサ９４ｂが蓄電池５からの電荷で充電されないように、逆流防止用のダイオード９９を蓄電池５とコンデンサ９４ｂとの間に設ける。
昇圧チョッパ１８の動作時において、上記のような逆流防止用のダイオード９９が設けられていない場合、トランジスタ８１がオフの期間、降圧チョッパ１９内のコンデンサ９４ｂは蓄電池５によりエネルギーが蓄積され、トランジスタ８１がオンの期間、コンデンサ９４ｂに蓄積されたエネルギーはヒューズ１０ａ、トランジスタ８１、ヒューズ１０ｂを通してリアクトル８３に供給される。このようにトランジスタ８１がオン、オフを繰り返す昇圧チョッパ１８の動作時において、コンデンサ９４ｂは不要な充電、放電を繰り返すことになる。
【００２７】
このため、上記のように、逆流防止用のダイオード９９を蓄電池５とコンデンサ９４ｂとの間に設けることにより、コンデンサ９４ｂは蓄電池５からのエネルギーの供給がなくなって不要な充電、放電の繰り返しがなくなる。このためコンデンサ９４ｂが劣化により寿命を不要に短くすることがなくなり、降圧チョッパ１９の信頼性が向上する。
【００２８】
なお、この実施の形態５では、上記実施の形態４で示した降圧チョッパ１９にダイオード９９を設けたものを図６で示したが、上記実施の形態１〜３で示した、入出力端子が正負の２端子ずつある降圧チョッパ１９に適用しても良く、同様の効果を有する。
【００２９】
実施の形態６．
図７はこの発明の実施の形態６による電力変換装置を示すもので、上記実施の形態４で示した、入力端子が正極側のみの１端子である降圧チョッパ１９において、降圧チョッパ１９の負極側出力端子を、昇圧チョッパ１８と蓄電池５との間に配された過電流保護用ヒューズ１０ｂの昇圧チョッパ１８側に接続する。
蓄電池５に接続する降圧チョッパ１９の負極側出力端子を、過電流保護用ヒューズ１０ｂの蓄電池５側に接続する場合では、ヒューズ１０ｂが断線した時、蓄電池５、直流スイッチ７、ヒューズ１０ａ、リアクトル８３、ダイオード８２、コンデンサ９４ａのみで構成する閉回路ができてしまう。即ち、昇圧チョッパ１８動作時にヒューズ１０ｂが断線した場合、昇圧チョッパ１８のリアクトル８３に蓄積されたエネルギーにより、降圧チョッパ１９の入力端子に接続されたコンデンサ９４ａに上記閉回路を介して過電圧が印加されることになる。
【００３０】
この実施の形態では、降圧チョッパ１９の負極側出力端子を、昇圧チョッパ１８と蓄電池５との間に配された過電流保護用ヒューズ１０ｂの昇圧チョッパ１８側に接続するため、ヒューズ１０ｂが断線しても上記のような閉回路を構成することなく、降圧チョッパ１９内のコンデンサ９４ａへの過電圧の印加を防ぎ、コンデンサ９４ａの破損を防止することができる。これにより降圧チョッパ１９の信頼性が向上する。
【００３１】
なお、図７に示すように、この実施の形態では上記実施の形態２、３および５で示したダイオード９７、９８、９９を備えても良く、それぞれ上記実施の形態２、３、５で示したものと同様の効果を有する。
【００３２】
【発明の効果】
以上のようにこの発明の請求項１に係る電力変換装置は、昇圧チョッパ回路動作時に帰路電流が降圧チョッパ回路内にバイパスするのを防止するように、上記降圧チョッパ回路の帰路電流経路に逆流防止用のダイオードを設けたため、降圧チョッパ回路は、バッテリの放電動作時の大きな電流を考慮することなく、充電動作時の小さな電流のみを考慮した電気部品、配線材料、構造部品で構成でき経済性が向上すると共に、電力変換装置のコンパクト化が図れる。
【００３３】
またこの発明の請求項２に係る電力変換装置は、上記昇圧チョッパ回路の入力端子および上記降圧チョッパ回路の出力端子は、上記バッテリに接続される正負端子間に接続されることで上記バッテリの両極間に接続され、上記正負端子と上記バッテリとの間での開離時に上記昇圧チョッパ回路のリアクトルに蓄積されたエネルギーによって上記正負端子間に過電圧が印加されないように、上記正負端子間に環流用ダイオードを設けたものであるため、降圧チョッパ回路の出力端子間に過電圧が印加されることを防ぎ、降圧チョッパ回路に内蔵する部品の破損を防止することができ、信頼性が向上する。
【００３４】
またこの発明の請求項３に係る電力変換装置は、上記直流電源の両極間の短絡時に、上記バッテリからの電荷により上記降圧チョッパ回路のスイッチング素子に逆過電圧が印加されないように、上記降圧チョッパ回路内に上記バッテリからの電荷を循環させる環流用ダイオードを上記スイッチング素子と並列に設けたものであるため、上記スイッチング素子への逆過電圧の印加を防いで破損を防止することができ降圧チョッパ回路の信頼性が向上する。
【図面の簡単な説明】
【図１】この発明の実施の形態１による電力変換装置を用いた無停電電源装置を示すものである。
【図２】この発明の実施の形態１による電力変換装置を示すものである。
【図３】この発明の実施の形態２による電力変換装置を示すものである。
【図４】この発明の実施の形態３による電力変換装置を示すものである。
【図５】この発明の実施の形態４による電力変換装置を示すものである。
【図６】この発明の実施の形態５による電力変換装置を示すものである。
【図７】この発明の実施の形態６による電力変換装置を示すものである。
【図８】従来の無停電電源装置を示すものである。
【図９】従来の電力変換装置を示すものである。
【符号の説明】
５  バッテリとしての蓄電池、９  直流電源、１０ａ，１０ｂ  ヒューズ、
１８  昇圧チョッパ回路、１９  降圧チョッパ回路、２０  電力変換装置、
２２  正負端子、８３  リアクトル、９４ａ，９４ｂ  コンデンサ、
９１  スイッチング素子としてのトランジスタ、９５  逆流防止用ダイオード、
９６  帰路電流経路、９７，９８  環流用ダイオード、
９９  逆流防止用ダイオード。
【図１】
0003553448.tif 000002
【図２】
0003553448.tif 000003
【図３】
0003553448.tif 000004
【図４】
0003553448.tif 000005
【図５】
0003553448.tif 000006
【図６】
0003553448.tif 000007
【図７】
0003553448.tif 000008
【図８】
0003553448.tif 000009
【図９】
0003553448.tif 000010